(57)【要約】【課題】所定エリアにおいて異なるサイズのセルが重畳されている移動通信システムにおいて、セル選択処理によって移動局の通信状態又は待ち受け状態に影響を与えない。【解決手段】本発明に係るネットワーク装置１０は、複数のセル＃１乃至＃４、＃１１乃至＃１３、＃１４１のサイズを含むセル情報を管理するセル情報管理部１１と、複数のセル＃１乃至＃４、＃１１乃至＃１３、＃１４１に含まれる第１セル＃１内に存在する移動局ＵＥ＃ｚについて、接続先セル又は待ち受けセルを選択するセル選択部１２とを具備し、セル選択部１２は、複数のセル＃１乃至＃４、＃１１乃至＃１３、＃１４１の中から、第１セル＃１よりも大きいサイズを有する第２セル＃１１を、接続先セル又は待ち受けセルとして選択する。【選択図】図２
2010088062.tif 000002
【特許請求の範囲】
【請求項１】
所定エリアの少なくとも一部をカバーし、異なる周波数が用いられる複数のセルが配置されている移動通信システム内のネットワーク装置であって、
前記複数のセルのサイズを含むセル情報を管理するように構成されているセル情報管理部と、
前記複数のセルに含まれる第１セル内に存在する移動局について、接続先セル又は待ち受けセルを選択するように構成されているセル選択部とを具備し、
前記セル選択部は、前記複数のセルの中から、前記第１セルよりも大きいサイズを有する第２セルを、前記接続先セル又は前記待ち受けセルとして選択するように構成されていることを特徴とするネットワーク装置。
【請求項２】
前記セル選択部は、前記移動局からの個別チャネルの接続を要求する接続要求信号に応じて、該移動局が個別チャネルを接続すべき接続先セルとして、前記第２セルを選択するように構成されていることを特徴とする請求項１に記載のネットワーク装置。
【請求項３】
前記セル選択部は、前記移動局からの個別チャネルの再接続を要求する再接続要求信号に応じて、該移動局が個別チャネルを再接続すべき接続先セルとして、前記第２セルを選択するように構成されていることを特徴とする請求項１に記載のネットワーク装置。
【請求項４】
前記セル選択部は、前記移動局が共通チャネルを接続すべき接続先セルとして、前記第２セルを選択するように構成されていることを特徴とする請求項１に記載のネットワーク装置。
【請求項５】
前記セル選択部は、前記移動局からの共通チャネルの再接続を要求する再接続要求信号に応じて、該移動局が共通チャネルを再接続すべき接続先セルとして、前記第２セルを選択するように構成されていることを特徴とする請求項１に記載のネットワーク装置。
【請求項６】
前記セル選択部は、前記移動局における無線品質の測定結果を受信した場合に、該測定結果に応じて、該移動局のハンドオーバ後の接続先セルとして、前記第２セルを選択するように構成されていることを特徴とする請求項１に記載のネットワーク装置。
【請求項７】
前記セル選択部は、前記移動局による通信が終了する際に、該通信の終了後の該移動局の待ち受けセルとして、前記第２セルを選択するように構成されていることを特徴とする請求項１に記載のネットワーク装置。
【請求項８】
前記所定エリアの少なくとも一部をカバーする前記複数のセルでは、同一のスクランブルコードが用いられることを特徴とする請求項１乃至７のいずれか一項に記載のネットワーク装置。
【請求項９】
所定エリアの少なくとも一部をカバーし、異なる周波数が用いられる複数のセルが配置されている移動通信システムにおけるセル選択方法であって、
前記移動通信システム内のネットワーク装置が、前記複数のセルのサイズを含むセル情報を管理する工程Ａと、
前記ネットワーク装置が、前記複数のセルに含まれる第１セル内に存在する移動局について、接続先セル又は待ち受けセルを選択する工程Ｂとを有し、
前記工程Ｂにおいて、前記ネットワーク装置は、前記複数のセルの中から、前記第１セルよりも大きいサイズを有する第２セルを、前記接続先セル又は前記待ち受けセルとして選択することを特徴とするセル選択方法。
【発明の詳細な説明】
【技術分野】
【０００１】
本発明は、所定エリアの少なくとも一部をカバーし、異なる周波数が用いられている複数のセルが配置されている移動通信システム内のネットワーク装置及びセル選択方法に関する。
【背景技術】
【０００２】
近年、所定エリアの少なくとも一部をカバーし、異なる周波数（例えば、８００ＭＨｚ帯や２ＧＨｚ帯）が用いられる複数のマクロセルが配置されている移動通信システムが運用されている。
【０００３】
かかる移動通信システムでは、各マクロセルで用いられる周波数の電波特性が異なることを利用して、多様なエリアをカバーすることができる。
【０００４】
また、「フェムトセル用無線基地局」と呼ばれる小型無線基地局を設置することによって、小さなカバーエリアである「フェムトセル」を提供することが検討されている。
【０００５】
このように、異なる周波数が用いられる複数のマクロセル及びフェムトセルが配置されている移動通信システムでは、ネットワーク装置が、トラヒック状況やサービス提供状況等を勘案して、各移動局について、接続先セル又は待ち受けセルを選択する処理（セル選択処理）を行うように構成されている。
【特許文献１】特開平１０-２４８０９０号公報
【発明の開示】
【発明が解決しようとする課題】
【０００６】
しかしながら、従来の移動通信システムにおけるセル選択処理では、所定エリアの少なくとも一部をカバーするセルのサイズが異なる場合に、ネットワーク装置が、特定移動局の現在の接続先セル又は待ち受けセルよりも小さいサイズを有するセルを選択してしまった場合には、かかる特定移動局が、通信又は待ち受けを継続することができなくなってしまう可能性があるという問題点があった。
【０００７】
そこで、本発明は、上述の課題に鑑みてなされたものであり、所定エリアにおいて異なるサイズのセルが重畳されている移動通信システムにおいて、セル選択処理によって移動局の通信状態又は待ち受け状態に影響を与えることのないネットワーク装置及びセル選択方法を提供することを目的とする。
【課題を解決するための手段】
【０００８】
本発明の第１の特徴は、所定エリアの少なくとも一部をカバーし、異なる周波数が用いられる複数のセルが配置されている移動通信システム内のネットワーク装置であって、前記複数のセルのサイズを含むセル情報を管理するように構成されているセル情報管理部と、前記複数のセルに含まれる第１セル内に存在する移動局について、接続先セル又は待ち受けセルを選択するように構成されているセル選択部とを具備し、前記セル選択部は、前記複数のセルの中から、前記第１セルよりも大きいサイズを有する第２セルを、前記接続先セル又は前記待ち受けセルとして選択するように構成されていることを要旨とする。
【０００９】
本発明の第２の特徴は、所定エリアの少なくとも一部をカバーし、異なる周波数が用いられる複数のセルが配置されている移動通信システムにおけるセル選択方法であって、前記移動通信システム内のネットワーク装置が、前記複数のセルのサイズを含むセル情報を管理する工程Ａと、前記ネットワーク装置が、前記複数のセルに含まれる第１セル内に存在する移動局について、接続先セル又は待ち受けセルを選択する工程Ｂとを有し、前記工程Ｂにおいて、前記ネットワーク装置は、前記複数のセルの中から、前記第１セルよりも大きいサイズを有する第２セルを、前記接続先セル又は前記待ち受けセルとして選択することを要旨とする。
【発明の効果】
【００１０】
以上説明したように、本発明によれば、所定エリアにおいて異なるサイズのセルが重畳されている移動通信システムにおいて、セル選択処理によって移動局の通信状態又は待ち受け状態に影響を与えることのないネットワーク装置及びセル選択方法を提供することができる。
【発明を実施するための最良の形態】
【００１１】
（本発明の第１の実施形態に係る移動通信システムの構成）
図１及び図２を参照して、本発明の第１の実施形態に係る移動通信システムの構成について説明する。
【００１２】
図１に示すように、本実施形態に係る移動通信システムは、ネットワーク装置１０と、マクロセル用無線基地局ＢＴＳ＃１ａ、ＢＴＳ＃１ｂと、フェムトセル用無線基地局ＢＴＳ＃１ｃとを具備している。
【００１３】
本実施形態に係る移動通信システムでは、セル＃１乃至＃４と、セル＃１１乃至＃１３と、セル＃１４１とが、所定エリアの少なくとも一部をカバーするようにこうせいされている。すなわち、所定エリアにおいて、セル＃１乃至＃４とセル＃１１乃至＃１３とセル＃１４１とが重畳されるように構成されている。
【００１４】
ここで、セル＃１乃至＃４は、マクロセル用無線基地局ＢＴＳ＃１ａによって管理されているマクロセルであり、セル＃１１乃至＃１３は、マクロセル用無線基地局ＢＴＳ＃１ｂによって管理されているマクロセルであり、セル＃１４１は、フェムトセル用無線基地局ＢＴＳ＃１ｃによって管理されているフェムトセルである。
【００１５】
また、セル＃１乃至＃４、セル＃１１乃至＃１３、セル＃１４１では、異なる周波数ｆ１乃至ｆ４、ｆ１１乃至１３、ｆ＃１４１が用いられ、同一のスクランブルコードＳｃ＃ａが用いられるように構成されている。例えば、周波数ｆ１乃至ｆ４は、２ＧＨｚ帯の周波数であり、周波数ｆ１１乃至１３、ｆ＃１４１は、８００ＭＨｚ帯の周波数である。
【００１６】
図２に示すように、ネットワーク装置１０は、セル情報管理部１１と、セル選択部１２と、通信制御部１３とを具備している。
【００１７】
ここで、本実施形態に係る移動通信システムが、ＷＣＤＭＡ方式の移動通信システムである場合には、ネットワーク装置１０は、交換局ＭＳＣ/ＳＧＳＮ又は無線制御装置ＲＮＣであり、本実施形態に係る移動通信システムが、ＬＴＥ（Ｌｏｎｇ  Ｔｅｒｍ  Ｅｖｏｌｕｔｉｏｎ）方式の移動通信システムである場合には、ネットワーク装置１０は、交換局ＭＭＥである。
【００１８】
セル情報管理部１１は、複数のセル＃１乃至＃４、＃１１乃至＃１３、＃１４１のサイズを含むセル情報を管理するように構成されている。
【００１９】
例えば、セル情報管理部１１は、各セルの識別情報を示す「セルＩＤ」と、各セルにおいて用いられる周波数を示す「周波数」と、各セルのサイズを示す「サイズ」とを関連付けるセル情報を管理するように構成されている。
【００２０】
ここで、「サイズ」には、各セルの半径が設定されていてもよいし、各セルの面積が設定されていてもよいし、各セルのサイズに対応する値が設定されていてもよい。
【００２１】
セル選択部１２は、複数のセル＃１乃至＃４、＃１１乃至＃１３、＃１４１に含まれる第１セル（例えば、セル＃１）内に存在する移動局（例えば、移動局ＵＥ＃ｚ）について、接続先セル又は待ち受けセルを選択するように構成されている。
【００２２】
具体的には、セル選択部１２は、複数のセル＃１乃至＃４、＃１１乃至＃１３、＃１４１の中から、第１セル（例えば、セル＃１）よりも大きいサイズを有する第２セル（例えば、セル＃１１）を、上述の移動局（例えば、移動局ＵＥ＃ｚ）についての接続先セル又は待ち受けセルとして選択するように構成されている。
【００２３】
例えば、セル選択部１２は、移動局ＵＥ＃ｚからの個別チャネルの接続を要求する接続要求信号（ＲＲＣ  Ｃｏｎｎｅｃｔｉｏｎ  Ｒｅｑｕｅｓｔ）に応じて、移動局ＵＥが個別チャネルを接続すべき接続先セルとして、第２セル＃１１を選択するように構成されていてもよい。
【００２４】
また、セル選択部１２は、移動局ＵＥ＃ｚからの個別チャネルの再接続を要求する再接続要求信号（Ｃｅｌｌ  Ｕｐｄａｔｅ）に応じて、移動局ＵＥ＃ｚが個別チャネルを再接続すべき接続先セルとして、第２セル＃１１を選択するように構成されていてもよい。
【００２５】
また、セル選択部１２は、移動局ＵＥ＃ｚが共通チャネルを接続すべき接続先セルとして、第２セル＃１１を選択するように構成されていてもよい。
【００２６】
また、セル選択部１２は、移動局ＵＥ＃ｚからの共通チャネルの再接続を要求する再接続要求信号（Ｃｅｌｌ  Ｕｐｄａｔｅ）に応じて、移動局ＵＥ＃ｚが共通チャネルを再接続すべき接続先セルとして、第２セル＃１１を選択するように構成されていてもよい。
【００２７】
また、セル選択部１２は、移動局ＵＥ＃ｚにおける無線品質の測定結果（Ｍｅａｓｕｒｅｍｅｎｔ  Ｒｅｐｏｒｔ）を受信した場合に、かかる測定結果に応じて、移動局ＵＥ＃ｚのハンドオーバ後の接続先セルとして、第２セル＃１１を選択するように構成されていてもよい。
【００２８】
さらに、セル選択部１２は、移動局ＵＥ＃ｚによる通信が終了する際に、かかる通信の終了後の移動局ＵＥ＃ｚの待ち受けセルとして、第２セル＃１１を選択するように構成されていてもよい。
【００２９】
通信制御部１３は、ネットワーク装置１０配下の無線基地局ＢＴＳによって管理されているセルにおける移動局ＵＥの通信を制御するように構成されている。
【００３０】
（本発明の第１の実施形態に係る移動通信システムの動作）
以下、図３乃至図８を参照して、本発明の第１の実施形態に係る移動通信システムの動作について説明する。
【００３１】
第１に、図３を参照して、本発明の第１の実施形態に係る移動通信システムにおいて、セル＃１内に存在する移動局ＵＥ＃ｚの個別チャネルを設定（接続）する動作について説明する。
【００３２】
図３に示すように、ステップＳ１００１において、移動局ＵＥ＃ｚが、ネットワーク装置１０に対して、個別チャネルの接続を要求する接続要求信号（ＲＲＣ  Ｃｏｎｎｅｃｔｉｏｎ  Ｒｅｑｕｅｓｔ）を送信する。
【００３３】
ステップＳ１００２において、ネットワーク装置１０が、移動局ＵＥ＃ｚからの接続要求信号（ＲＲＣ  Ｃｏｎｎｅｃｔｉｏｎ  Ｒｅｑｕｅｓｔ）に応じて、移動局ＵＥ＃ｚが個別チャネルを接続すべき接続先セルとして、セル＃１１を選択する。
【００３４】
ステップＳ１００３において、ネットワーク装置１０が、セル＃１１を管理するマクロセル用無線基地局ＢＴＳ＃１ｂに対して、無線リンク設定要求信号（Ｒａｄｉｏ  Ｌｉｎｋ  Ｓｅｔｕｐ  Ｒｅｑｕｅｓｔ）を送信し、マクロセル用無線基地局ＢＴＳ＃１ｂが、ネットワーク装置１０に対して、無線リンク設定完了信号（Ｒａｄｉｏ  Ｌｉｎｋ  Ｓｅｔｕｐ  Ｃｏｍｐｌｅｔｅ）を送信する。
【００３５】
ステップＳ１００４において、ネットワーク装置１０が、移動局ＵＥ＃ｚに対して、個別チャネルの接続準備が完了したことを通知する接続設定信号（ＲＲＣ  Ｃｏｎｎｅｃｔｉｏｎ  Ｓｅｔｕｐ）を送信し、移動局ＵＥ＃ｚが、ネットワーク装置１０に対して、個別チャネルの接続が完了したことを通知する接続設定完了信号（ＲＲＣ  Ｃｏｎｎｅｃｔｉｏｎ  Ｓｅｔｕｐ  Ｃｏｍｐｌｅｔｅ）を送信する。
【００３６】
第２に、図４を参照して、本発明の第１の実施形態に係る移動通信システムにおいて、セル＃１内に存在する移動局ＵＥ＃ｚの個別チャネルを再接続する動作について説明する。
【００３７】
図４に示すように、ステップＳ２００１において、セル＃１内において個別チャネルを設定（接続）している移動局ＵＥ＃ｚが、かかる個別チャネルにおける無線品質の劣化を検出した場合に、ネットワーク装置１０に対して、個別チャネルの再接続を要求する接続要求信号（Ｃｅｌｌ  Ｕｐｄａｔｅ）を送信する。
【００３８】
ステップＳ２００２において、ネットワーク装置１０が、セル＃１を管理するマクロセル用無線基地局ＢＴＳ＃１ａに対して、無線リンク削除要求信号（Ｒａｄｉｏ  Ｌｉｎｋ  Ｄｅｌｅｔｉｏｎ  Ｒｅｑｕｅｓｔ）を送信し、マクロセル用無線基地局ＢＴＳ＃１ａが、ネットワーク装置１０に対して、無線リンク削除完了信号（Ｒａｄｉｏ  Ｌｉｎｋ  Ｄｅｌｅｔｉｏｎ  Ｒｅｓｐｏｎｓｅ）を送信する。
【００３９】
ステップＳ２００３において、ネットワーク装置１０が、移動局ＵＥ＃ｚからの再接続要求信号（Ｃｅｌｌ  Ｕｐｄａｔｅ）に応じて、移動局ＵＥ＃ｚが個別チャネルを再接続すべき接続先セルとして、セル＃１１を選択する。
【００４０】
ステップＳ２００４において、ネットワーク装置１０が、セル＃１１を管理するマクロセル用無線基地局ＢＴＳ＃１ｂに対して、無線リンク設定要求信号（Ｒａｄｉｏ  Ｌｉｎｋ  Ｓｅｔｕｐ  Ｒｅｑｕｅｓｔ）を送信し、マクロセル用無線基地局ＢＴＳ＃１ｂが、ネットワーク装置１０に対して、無線リンク設定完了信号（Ｒａｄｉｏ  Ｌｉｎｋ  Ｓｅｔｕｐ  Ｃｏｍｐｌｅｔｅ）を送信する。
【００４１】
ステップＳ２００５において、ネットワーク装置１０が、移動局ＵＥ＃ｚに対して、個別チャネルの再接続準備が完了したことを通知する再接続確認信号（Ｃｅｌｌ  Ｕｐｄａｔｅ  Ｃｏｎｆｉｒｍ）を送信し、移動局ＵＥ＃ｚが、ネットワーク装置１０に対して、個別チャネルの再接続が完了したことを通知する再接続設定完了信号（Ｐｈｙｓｉｃａｌ  ＣＨ  Ｒｅｃｏｎｆｉｇｕｒａｔｉｏｎ  Ｃｏｍｐｌｅｔｅ）を送信する。
【００４２】
第３に、図５を参照して、本発明の第１の実施形態に係る移動通信システムにおいて、セル＃１内に存在する移動局ＵＥ＃ｚの共通チャネルを設定（接続）する動作について説明する。
【００４３】
図５に示すように、ステップＳ３００１において、ネットワーク装置１０が、移動局ＵＥ＃ｚが共通チャネルを接続すべき接続先セルとして、第２セル＃１１を選択する。例えば、かかる共通チャネルは、各セルにおいて無線リソースを効率的に利用するために用いられる制御用チャネルである。
【００４４】
ステップＳ３００２において、ネットワーク装置１０が、移動局ＵＥ＃ｚに対して、セル＃１１において共通チャネルを設定するように指示するチャネル再構成信号（Ｐｈｙｓｉｃａｌ  ＣＨ  Ｒｅｃｏｎｆｉｇｕｒａｔｉｏｎ）を送信する。
【００４５】
ステップＳ３００３において、移動局ＵＥ＃ｚが、ネットワーク装置１０に対して、セル＃１１における共通チャネルの設定（接続）を要求する接続要求信号（Ｃｅｌｌ  Ｕｐｄａｔｅ）を送信する。
【００４６】
ステップＳ３００４において、ネットワーク装置１０が、移動局ＵＥ＃ｚに対して、共通チャネルの接続準備が完了したことを通知する接続確認信号（Ｃｅｌｌ  Ｕｐｄａｔｅ  Ｃｏｎｆｉｒｍ）を送信し、移動局ＵＥ＃ｚが、ネットワーク装置１０に対して、共通チャネルの接続が完了したことを通知する接続設定完了信号（Ｐｈｙｓｉｃａｌ  ＣＨ  Ｒｅｃｏｎｆｉｇｕｒａｔｉｏｎ  Ｃｏｍｐｌｅｔｅ）を送信する。
【００４７】
第４に、図６を参照して、本発明の第１の実施形態に係る移動通信システムにおいて、セル＃１内に存在する移動局ＵＥ＃ｚの共通チャネルの接続先セルを変更する動作について説明する。
【００４８】
図６に示すように、ステップＳ４００１において、セル＃１内において共通チャネルを設定（接続）している移動局ＵＥ＃ｚが、かかる共通チャネルにおける無線品質の劣化を検出した場合に、ネットワーク装置１０に対して、共通チャネルの再接続を要求する接続要求信号（Ｃｅｌｌ  Ｕｐｄａｔｅ）を送信する。
【００４９】
ステップＳ４００２において、ネットワーク装置１０が、移動局ＵＥ＃ｚからの再接続要求信号（Ｃｅｌｌ  Ｕｐｄａｔｅ）に応じて、移動局ＵＥ＃ｚが共通チャネルを再接続すべき接続先セルとして、セル＃１１を選択する。
【００５０】
ステップＳ４００３において、ネットワーク装置１０が、移動局ＵＥ＃ｚに対して、セル＃１１において共通チャネルを設定するように指示するチャネル再構成信号（Ｃｅｌｌ  Ｕｐｄａｔｅ  Ｃｏｎｆｉｒｍ）を送信する。
【００５１】
ステップＳ４００４において、移動局ＵＥ＃ｚが、ネットワーク装置１０に対して、セル＃１１における共通チャネルの設定（接続）を要求する接続要求信号（Ｃｅｌｌ  Ｕｐｄａｔｅ）を送信し、ネットワーク装置１０が、移動局ＵＥ＃ｚに対して、共通チャネルの接続準備が完了したことを通知する接続確認信号（Ｃｅｌｌ  Ｕｐｄａｔｅ  Ｃｏｎｆｉｒｍ）を送信し、移動局ＵＥ＃ｚが、ネットワーク装置１０に対して、共通チャネルの接続が完了したことを通知する接続設定完了信号（ＵＴＲＡＮ  Ｍｏｂｉｌｉｔｙ  Ｉｎｆｏｒｍａｔｉｏｎ  Ｃｏｍｐｌｅｔｅ）を送信する。
【００５２】
第５に、図７を参照して、本発明の第１の実施形態に係る移動通信システムにおいて、セル＃１内に存在する移動局ＵＥ＃ｚの個別チャネルの接続先セルを変更する動作（セル＃１内に存在する移動局ＵＥ＃ｚのハードハンドオーバ動作）について説明する。
【００５３】
ステップＳ５００１において、ネットワーク装置１０が、セル＃１内において共通チャネルを設定（接続）している移動局ＵＥ＃ｚに対して、所定エリアをカバーするセルにおける無線品質を測定するように指示する測定制御信号（Ｍｅａｓｕｒｅｍｅｎｔ  Ｃｏｎｔｒｏｌ）を送信する。
【００５４】
ステップＳ５００２において、移動局ＵＥ＃ｚが、所定エリアをカバーするセルにおける無線品質が所定条件を満たす場合に、ネットワーク装置１０に対して、かかる測定結果（Ｍｅａｓｕｒｅｍｅｎｔ  Ｒｅｐｏｒｔ）を送信する。
【００５５】
ステップＳ５００３において、ネットワーク装置１０が、移動局ＵＥ＃ｚからの測定結果（Ｍｅａｓｕｒｅｍｅｎｔ  Ｒｅｐｏｒｔ）に応じて、移動局ＵＥ＃ｚのハンドオーバ後の接続先セルとして、セル＃１１を選択する。
【００５６】
ステップＳ５００４において、ネットワーク装置１０が、セル＃１１を管理するマクロセル用無線基地局ＢＴＳ＃１ｂに対して、無線リンク設定要求信号（Ｒａｄｉｏ  Ｌｉｎｋ  Ｓｅｔｕｐ  Ｒｅｑｕｅｓｔ）を送信し、マクロセル用無線基地局ＢＴＳ＃１ｂが、ネットワーク装置１０に対して、無線リンク設定完了信号（Ｒａｄｉｏ  Ｌｉｎｋ  Ｓｅｔｕｐ  Ｒｅｓｐｏｎｓｅ）を送信する。
【００５７】
ステップＳ５００５において、ネットワーク装置１０が、移動局ＵＥ＃ｚに対して、ハンドオーバ先セルにおける個別チャネルの接続準備が完了したことを通知する接続設定信号（Ｐｈｙｓｉｃａｌ  ＣＨ  Ｒｅｃｏｎｆｉｇｕｒａｔｉｏｎ）を送信し、移動局ＵＥ＃ｚが、ネットワーク装置１０に対して、かかる個別チャネルの接続が完了したことを通知する接続設定完了信号（Ｐｈｙｓｉｃａｌ  ＣＨ  Ｒｅｃｏｎｆｉｇｕｒａｔｉｏｎ  Ｃｏｍｐｌｅｔｅ）を送信する。
【００５８】
ステップＳ５００６において、ネットワーク装置１０が、セル＃１を管理するマクロセル用無線基地局ＢＴＳ＃１ａに対して、無線リンク削除要求信号（Ｒａｄｉｏ  Ｌｉｎｋ  Ｄｅｌｅｔｉｏｎ  Ｒｅｑｕｅｓｔ）を送信し、マクロセル用無線基地局ＢＴＳ＃１ａが、ネットワーク装置１０に対して、無線リンク削除完了信号（Ｒａｄｉｏ  Ｌｉｎｋ  Ｄｅｌｅｔｉｏｎ  Ｒｅｓｐｏｎｓｅ）を送信する。
【００５９】
第６に、図８を参照して、本発明の第１の実施形態に係る移動通信システムにおいて、セル＃１内に存在する移動局ＵＥ＃ｚの通信を終了する動作について説明する。
【００６０】
図８に示すように、ステップＳ６００１において、ネットワーク装置１０は、所定の解放トリガを検知して、例えば、コアネットワークから解放信号（Ｉｕ  Ｒｅｌｅａｓｅ  Ｃｏｍｍａｎｄ）を受信して、セル＃１内において個別チャネルを設定（接続）している移動局ＵＥ＃ｚの個別チャネルを解放すること（すなわち、移動局ＵＥ＃ｚの通信を終了させること）を決定する。
【００６１】
ステップＳ６００２において、ネットワーク装置１０が、かかる移動局ＵＥ＃ｚの通信の終了後の移動局ＵＥ＃ｚの待ち受けセルとして、セル＃１１を選択する。
【００６２】
ステップＳ６００３において、ネットワーク装置１０が、移動局ＵＥ＃ｚに対して、セル＃１における個別チャネルの解放を指示する解放指示信号（Ｒａｄｉｏ  Ｃｏｎｎｅｃｔｉｏｎ  Ｒｅｌｅａｓｅ）を送信し、移動局ＵＥ＃ｚが、ネットワーク装置１０に対して、かかる個別チャネルの解放が完了したことを通知する解放完了信号（Ｒａｄｉｏ  Ｃｏｎｎｅｃｔｉｏｎ  Ｒｅｌｅａｓｅ  Ｃｏｍｐｌｅｔｅ）を送信する。
【００６３】
ここで、ネットワーク装置１０は、コアネットワークに対して、かかる個別チャネルの解放が完了したことを通知する解放完了信号（Ｉｕ  Ｒｅｌｅａｓｅ  Ｃｏｍｐｌｅｔｅ）を送信する。
【００６４】
ステップＳ６００４において、ネットワーク装置１０が、セル＃１を管理するマクロセル用無線基地局ＢＴＳ＃１ａに対して、無線リンク削除要求信号（Ｒａｄｉｏ  Ｌｉｎｋ  Ｄｅｌｅｔｉｏｎ  Ｒｅｑｕｅｓｔ）を送信し、マクロセル用無線基地局ＢＴＳ＃１ａが、ネットワーク装置１０に対して、無線リンク削除完了信号（Ｒａｄｉｏ  Ｌｉｎｋ  Ｄｅｌｅｔｉｏｎ  Ｒｅｓｐｏｎｓｅ）を送信する。
【００６５】
（本発明の第１の実施形態に係る移動通信システムの作用・効果）
本発明の第１の実施形態に係る移動通信システムによれば、ネットワーク設計者が、図１に示すような周波数段差（すなわち、重畳されているセル同士でカバーエリアが異なる現象）が生じないように、無線基地局の設置場所等を綿密に設計することなく、セル選択処理によって移動局の通信又は待ち受けが継続することができなくなるという事態を回避することができる。
【００６６】
また、本発明の第１の実施形態に係る移動通信システムによれば、セル選択処理によって移動局の通信又は待ち受けが継続することができなくなるという事態を回避するために、各移動局に、全ての周辺セルを報告させることによって、各通信セルのカバレッジを把握する必要がなくなるため、移動局による異周波セルにおける測定に必要な消費電力や時間を節約することができる。
【００６７】
以上に述べた本実施形態の特徴は、以下のように表現されていてもよい。
【００６８】
本実施形態の第１の特徴は、所定エリアの少なくとも一部をカバーし、異なる周波数ｆ１乃至ｆ４、ｆ１１乃至ｆ１３、ｆ１４１が用いられる複数のセル＃１乃至＃４、＃１１乃至＃１３、＃１４１が配置されている移動通信システム内のネットワーク装置１０であって、複数のセル＃１乃至＃４、＃１１乃至＃１３、＃１４１のサイズを含むセル情報を管理するように構成されているセル情報管理部１１と、複数のセル＃１乃至＃４、＃１１乃至＃１３、＃１４１に含まれる第１セル＃１内に存在する移動局ＵＥ＃ｚについて、接続先セル又は待ち受けセルを選択するように構成されているセル選択部１２とを具備し、セル選択部１２は、複数のセル＃１乃至＃４、＃１１乃至＃１３、＃１４１の中から、第１セル＃１よりも大きいサイズを有する第２セル＃１１を、接続先セル又は待ち受けセルとして選択するように構成されていることを要旨とする。
【００６９】
本実施形態の第１の特徴において、セル選択部１２は、移動局ＵＥ＃ｚからの個別チャネルの接続を要求する接続要求信号（ＲＲＣ  Ｃｏｎｎｅｃｔｉｏｎ  Ｒｅｑｕｅｓｔ）に応じて、移動局ＵＥ＃ｚが個別チャネルを接続すべき接続先セルとして、第２セル＃１１を選択するように構成されていてもよい。
【００７０】
本実施形態の第１の特徴において、セル選択部１２は、移動局ＵＥ＃ｚからの個別チャネルの再接続を要求する再接続要求信号（Ｃｅｌｌ  Ｕｐｄａｔｅ）に応じて、移動局ＵＥ＃ｚが個別チャネルを再接続すべき接続先セルとして、第２セル＃１１を選択するように構成されていてもよい。
【００７１】
本実施形態の第１の特徴において、セル選択部１２は、移動局ＵＥ＃ｚが共通チャネルを接続すべき接続先セルとして、第２セル＃１１を選択するように構成されていてもよい。
【００７２】
本実施形態の第１の特徴において、セル選択部１２は、移動局ＵＥ＃ｚからの共通チャネルの再接続を要求する再接続要求信号（Ｃｅｌｌ  Ｕｐｄａｔｅ）に応じて、移動局ＵＥ＃ｚが共通チャネルを再接続すべき接続先セルとして、第２セル＃１１を選択するように構成されていてもよい。
【００７３】
本実施形態の第１の特徴において、セル選択部１２は、移動局ＵＥ＃ｚにおける無線品質の測定結果（Ｍｅａｓｕｒｅｍｅｎｔ  Ｒｅｐｏｒｔ）を受信した場合に、かかる測定結果に応じて、移動局ＵＥ＃ｚのハンドオーバ後の接続先セルとして、第２セル＃１１を選択するように構成されていてもよい。
【００７４】
本実施形態の第１の特徴において、セル選択部１２は、移動局ＵＥ＃ｚによる通信が終了する際に、かかる通信の終了後の移動局ＵＥ＃ｚの待ち受けセルとして、第２セル＃１１を選択するように構成されていてもよい。
【００７５】
本実施形態の第１の特徴において、記所定エリアの少なくとも一部をカバーする複数のセル＃１乃至＃４、＃１１乃至＃１３、＃１４１では、同一のスクランブルコードＳＣ＃ａが用いられていてもよい。
【００７６】
本実施形態の第２の特徴は、所定エリアの少なくとも一部をカバーし、異なる周波数ｆ１乃至ｆ４、ｆ１１乃至ｆ１３、ｆ１４１が用いられる複数のセル＃１乃至＃４、＃１１乃至＃１３、＃１４１が配置されている移動通信システムにおけるセル選択方法であって、移動通信システム内のネットワーク装置１０が、複数のセル＃１乃至＃４、＃１１乃至＃１３、＃１４１のサイズを含むセル情報を管理する工程Ａと、ネットワーク装置１０が、複数のセル＃１乃至＃４、＃１１乃至＃１３、＃１４１に含まれる第１セル＃１内に存在する移動局ＵＥ＃ｚについて、接続先セル又は待ち受けセルを選択する工程Ｂとを有し、工程Ｂにおいて、ネットワーク装置１０は、複数のセル＃１乃至＃４、＃１１乃至＃１３、＃１４１の中から、第１セル＃１よりも大きいサイズを有する第２セル＃１１を、接続先セル又は待ち受けセルとして選択することを要旨とする。
【００７７】
（変更例）
なお、上述のネットワーク装置１０や移動局ＵＥやフェムトセル用無線基地局ＢＴＳの動作は、ハードウェアによって実施されてもよいし、プロセッサによって実行されるソフトウェアモジュールによって実施されてもよいし、両者の組み合わせによって実施されてもよい。
【００７８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ネットワーク装置１０や移動局ＵＥやフェムトセル用無線基地局ＢＴＳ内に設けられていてもよい。また、かかる記憶媒体及びプロセッサは、ディスクリートコンポーネントとしてネットワーク装置１０や移動局ＵＥやフェムトセル用無線基地局ＢＴＳ内に設けられていてもよい。
【００８０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８１】
【図１】本発明の第１の実施形態に係る移動通信システムの全体構成図である。
【図２】本発明の第１の実施形態に係るネットワーク装置の機能ブロック図である。
【図３】本発明の第１の実施形態に係る移動通信システムの動作を示すシーケンス図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態に係る移動通信システムの動作を示すシーケンス図である。
【図７】本発明の第１の実施形態に係る移動通信システムの動作を示すシーケンス図である。
【図８】本発明の第１の実施形態に係る移動通信システムの動作を示すシーケンス図である。
【符号の説明】
【００８２】
１０…ネットワーク装置
１１…セル情報管理部
１２…セル選択部
１３…通信制御部
【図１】
2010088062.tif 000003
【図２】
2010088062.tif 000004
【図３】
2010088062.tif 000005
【図４】
2010088062.tif 000006
【図５】
2010088062.tif 000007
【図６】
2010088062.tif 000008
【図７】
2010088062.tif 000009
【図８】
2010088062.tif 000010